(57)【要約】【課題】ウエハ上に形成されるアライメントマークを高精度に検出する。【解決手段】ステップＳ５１で信号処理を設定する。ステップＳ５３ではアライメント検出光学系からアライメントマークの像情報を取得・算出する。ステップＳ５４ではステップＳ５３で取得したアライメントマークの像情報からステップＳ５１で設定された信号処理により位置ずれ量を算出する。ステップＳ５７では、残留誤差Ｒｉが最小となるショット（位置情報）と信号処理との組合せを求めて、ステップＳ５８でその最小となる組合せの条件で算出されたＡＧＡパラメータに基づいてウエハステージによりウエハを投影光学系に位置決めし、ステップＳ５９でレチクル上のパターンがウエハ上に露光転写される。【選択図】　　　図１２
2004111860.tif 000002
【特許請求の範囲】
【請求項１】
物体の複数の位置検出マークからの光を受光して当該物体の位置を検出する位置検出方法において、
前記受光した光から前記位置検出マークごとの像情報を得る象情報取得工程と、
複数の算出処理を持ち、当該複数の算出処理のうち所定の算出処理を用いて前記像情報から前記位置検出マークごとの位置情報を算出する位置情報算出工程と、
前記各位置情報に対応する位置検出マークの基準位置に対する誤差の情報を算出する誤差情報算出工程と、
前記誤差の情報から所定の誤差成分を除去した残留誤差の情報を算出する残留誤差情報算出工程と、
前記各位置情報ごとに、前記残留誤差が最小となる当該位置情報の算出処理を前記複数の算出処理から求め、当該位置情報とそれに対応する算出処理との組み合わせを記憶する記憶工程と、
前記位置情報とそれに対応する算出処理との組み合わせに基づいて算出された誤差の情報を用いて前記物体の位置を検出する位置検出工程とを備えることを特徴とする位置検出方法。
【請求項２】
前記誤差の情報は、前記基準位置を原点として互いに直交する方向をｘ方向、ｙ方向とすると、前記位置検出マークの前記基準位置からの位置ずれとしてｘ方向のシフトＳｘと、ｙ方向のシフトＳｙと、ｘ軸に対する傾きθｘと、ｙ軸に対する傾きθｙと、ｘ方向の倍率Ｂｘ、ｙ方向の倍率Ｂｙで表され、前記所定の誤差成分は、下記式により求められることを特徴とする請求項１に記載の位置検出方法。
【数１】
2004111860.tif 000009
【請求項３】
前記記憶工程では、前記残留誤差の平均２乗和が最小となる算出処理を求めることを特徴とする請求項１に記載の位置検出方法。
【請求項４】
前記複数の算出処理は、複数の異なるテンプレートのうち、最も相関したテンプレートに像情報をマッチングさせることにより前記位置情報を算出することを特徴とする請求項１に記載の位置検出方法。
【請求項５】
前記像情報には、前記１つの位置検出マークの両端部に対応して２つの極小値を持つ像情報と前記１つの位置検出マークの中心付近にのみ極小値を持つ像情報とが含まれ、各像情報に応じたテンプレートを持つことを特徴とする請求項４に記載の位置検出方法。
【請求項６】
前記テンプレートは、前記位置検出マークの検出方向に関して対称性を持つ複数のテンプレートを有することを特徴とする請求項１に記載の位置検出方法。
【請求項７】
前記算出処理は、前記テンプレートに像情報をマッチングさせる方式、前記像情報における画素の重心位置情報から位置情報を算出する方式、前記像情報の微分値から位置情報を算出する方式のいずれか２つ以上を持つことを特徴とする請求項１に記載の位置検出方法。
【請求項８】
物体の複数の位置検出マークからの光を受光して当該物体の位置を検出する位置検出装置において、
前記受光した光から前記位置検出マークごとの像情報を得る像情報取得部と、
複数の算出処理を持ち、当該複数の算出処理のうち所定の算出処理を用いて前記像情報から前記位置検出マークごとの位置情報を算出する位置情報算出部と、
前記各位置情報に対応する位置検出マークの基準位置に対する誤差の情報を算出する誤差情報算出部と、
前記誤差の情報から所定の誤差成分を除去した残留誤差の情報を算出する残留誤差情報算出部と、
前記各位置情報ごとに、前記残留誤差が最小となる当該位置情報の算出処理を前記複数の算出処理から求め、当該位置情報とそれに対応する算出処理との組み合わせを記憶する記憶部と、
前記位置情報とそれに対応する算出処理との組み合わせに基づいて算出された誤差の情報を用いて前記物体の位置を検出する位置検出部とを具備することを特徴とする位置検出装置。
【請求項９】
請求項８に記載の位置検出装置により検出した位置情報に基づいて前記物体を位置決めするために駆動されるステージ装置を備え、当該ステージ装置は前記物体としての基板または原版あるいはその双方を位置決めすることを特徴とする露光装置。
【請求項１０】
請求項９に記載の露光装置を含む各種プロセス用の製造装置群を半導体製造工場に設置する工程と、該製造装置群を用いて複数のプロセスによって半導体デバイスを製造する工程とを有することを特徴とする半導体デバイス製造方法。
【請求項１１】
前記製造装置群をローカルエリアネットワークで接続する工程と、前記ローカルエリアネットワークと前記半導体製造工場外の外部ネットワークとの間で、前記製造装置群の少なくとも１台に関する情報をデータ通信する工程とをさらに有することを特徴とする請求項１０に記載の半導体デバイス製造方法。
【請求項１２】
前記露光装置のベンダ若しくはユーザが提供するデータベースに前記外部ネットワークを介してアクセスしてデータ通信によって前記製造装置の保守情報を得る、若しくは前記半導体製造工場とは別の半導体製造工場との間で前記外部ネットワークを介してデータ通信して生産管理を行うことを特徴とする請求項１１に記載の半導体デバイス製造方法。
【請求項１３】
請求項９に記載の露光装置を含む各種プロセス用の製造装置群と、該製造装置群を接続するローカルエリアネットワークと、該ローカルエリアネットワークから工場外の外部ネットワークにアクセス可能にするゲートウェイを有し、前記製造装置群の少なくとも１台に関する情報をデータ通信することを可能にすることを特徴とする半導体製造工場。
【請求項１４】
半導体製造工場に設置された請求項９に記載の露光装置の保守方法であって、前記露光装置のベンダ若しくはユーザが、半導体製造工場の外部ネットワークに接続された保守データベースを提供する工程と、前記半導体製造工場内から前記外部ネットワークを介して前記保守データベースへのアクセスを許可する工程と、前記保守データベースに蓄積される保守情報を前記外部ネットワークを介して半導体製造工場側に送信する工程とを有することを特徴とする露光装置の保守方法。
【請求項１５】
請求項９に記載の露光装置において、ディスプレイと、ネットワークインタフェースと、ネットワーク用ソフトウェアを実行するコンピュータとをさらに有し、露光装置の保守情報をコンピュータネットワークを介してデータ通信することを可能にすることを特徴とする露光装置。
【請求項１６】
前記ネットワーク用ソフトウェアは、前記露光装置が設置された工場の外部ネットワークに接続され前記露光装置のベンダ若しくはユーザが提供する保守データベースにアクセスするためのユーザインタフェースを前記ディスプレイ上に提供し、前記外部ネットワークを介して該データベースから情報を得ることを可能にすることを特徴とする請求項１５に記載の露光装置。
【発明の詳細な説明】
【０００１】
【発明の属する技術分野】
本発明は、例えば、半導体露光装置におけるウエハやレチクルのアライメントに有効な位置検出方法および位置検出装置に関する。
【０００２】
【従来の技術】
ＩＣやＬＳＩ等の半導体チップ、液晶パネル等の表示素子、磁気ヘッド等の検出素子、或いはＣＣＤ等の撮像素子などの各種デバイスの製造に利用される投影型露光装置においては、当該デバイスの回路の微細化及び高密度化に伴い、レチクル面上の回路パターンをウエハ面上により高い解像力で投影露光できることが要求されている。
【０００３】
回路パターンの投影解像力は投影光学系の開口数（ＮＡ：Ｎｕｍｅｒａｌ　Ａｐｅｒｔｕｒｅ）と露光波長に依存するので、高解像度化の方法としては、投影光学系のＮＡを大きくする方法や露光波長をより短波長化する方法が採用されている。後者の方法に関し、露光光源は、ｇ線からｉ線に移行し、更にｉ線からエキシマレーザに移行しつつある。また、エキシマレーザにおいても、その発振波長が２４８ｎｍ及び１９３ｎｍの露光装置が既に実用化され使用されている。
【０００４】
現在では発振波長を更に短波長化した、波長１５７ｎｍのＶＵＶの露光方式、波長１３ｎｍ付近のＥＵＶ露光方式が次世代の露光方式の候補として検討されている。
【０００５】
また、半導体デバイスの製造プロセスも多様化しており、露光装置の深度不足の問題を解決する平坦化技術として、ＣＭＰ（Ｃｈｅｍｉｃａｌ　Ｍｅｃｈａｎｉｃａｌ　Ｐｏｌｉｓｈｉｎｇ）プロセス等の技術導入も行われている。
【０００６】
また、半導体デバイスの構造や材料も多種多様であり、例えば、ＧａＡｓ、ＩｎＰ等の化合物を組み合わせて構成したＰ−ＨＥＭＴ（Ｐｓｅｕｄｏｍｏｒｐｈｉｃ　Ｈｉｇｈ　Ｅｌｅｃｔｒｏｎ　Ｍｏｂｉｌｉｔｙ　Ｔｒａｎｓｉｓｔｏｒ）やＭ−ＨＥＭＴ（Ｍｅｔａｍｏｒｐｈｅ−ＨＥＭＴ）や、ＳｉＧｅ、ＳｉＧｅＣ等を使用したＨＢＴ（Ｈｅｔｅｒｏｊｕｎｃｔｉｏｎ　Ｂｉｐｏｌａｒ　Ｔｒａｎｓｉｓｔｏｒ）が提案されている。
【０００７】
一方、回路パターンの微細化に伴い、回路パターンが形成されているレチクルとそれが投影されるウエハとを高精度にアライメントすることも要求されており、その必要精度は回路線幅の１／３であり、例えば、現状の１８０ｎｍデザインにおける必要精度はその１／３の６０ｎｍである。
【０００８】
露光装置におけるアライメントは、レチクル上の回路パターンと同時にアライメントマークをウエハ上に露光転写し、次のレチクルの回路パターンをウエハ上に露光する際に、前記アライメントマークの位置を光学的に検出して、レチクルに対してウエハを位置決めすることにより行われる。アライメントマークの検出手段としては、顕微鏡によりアライメントマークを拡大して撮像し、そのマーク像の位置を検出する方法や、回折格子をアライメントマークとして用いて、その回折光を干渉させた干渉信号の位相を検出して、回折格子の位置を検出する方法等がある。
【０００９】
【発明が解決しようとする課題】
上記のような半導体産業の現状において、露光装置を使用する上で、次工程の設計パターンとウエハに既存する回路パターンとをアライメントする重ね合わせ精度を向上させることは、半導体素子の性能および製造の歩留まりを向上させるために必須の課題と言える。しかしながら、ＣＭＰプロセスなど特殊な半導体製造技術の導入により、回路パターンの構造は良いが、ウエハ間やショット間でアライメントマークの形状にばらつきが発生し、アライメント精度を劣化させる問題が多発している。
【００１０】
これは、回路パターンの微細化に伴い、回路パターンとアライメントマークの線幅の差が大きくなって、成膜や、エッチング、ＣＭＰなどのプロセス条件が微細な回路パターン（線幅０．１−０．１５μｍ）に最適化されるため、線幅の大きなアライメントマーク（線幅０．６−４．０μｍ）では、そのプロセス条件が外れるために生じる場合が多い。
【００１１】
アライメントマークの線幅を回路パターンの線幅に合わせようとすると、アライメントに用いる検出光学系の分解能が足りないため、信号強度またはコントラストが減少し、アライメントマークの検出信号の安定性が悪化する。回路パターンと同等の線幅のアライメントマークを検出できる検出光学系にするには、大きなＮＡ、短い波長の光源が必要となり、投影光学系並みの検出光学系になり、装置コストが上がるなど別の問題も新たに発生する。
【００１２】
現在、このような状況になった場合には、プロセスの条件を変更して、アライメントマークと回路パターンの双方で適切な条件になるように、試行錯誤で条件設定を行ったり、線幅の異なるアライメントマークを何種類か作り込んで露光評価し、最も良いと思われる線幅のアライメントマークを用いるようにしている。
【００１３】
したがって、最適な条件（パラメータ）を決定するまでに膨大な時間を要していた。また、一旦パラメータが決定された後であっても、例えばプロセスエラーが発生した場合には、それに応じた製造プロセスの変更に伴って露光装置のパラメータを再度変更する必要が生じる場合があり、この場合にも膨大な時間を要する。
【００１４】
更に今後は、回路パターンの微細化が進むと共に、新たな半導体プロセスの導入や、ウエハ径の３００ｍｍ化（大径化）などにより、回路パターンとアライメントマークの双方をウエハ全面で欠陥無く作り込むことが益々困難になると予想される。
【００１５】
本発明は、上記の背景に鑑みてなされ、その目的は、ウエハ上に形成されるアライメントマークの位置に誤差があった場合でも当該マークの検出精度を劣化させることなく、高精度に検出できる位置検出方法および位置検出装置を提供することである。
【００１６】
【課題を解決するための手段】
上述の課題を解決し、目的を達成するために、本発明の位置検出方法は、物体の複数の位置検出マークからの光を受光して当該物体の位置を検出する位置検出方法において、前記受光した光から前記位置検出マークごとの像情報を得る象情報取得工程と、複数の算出処理を持ち、当該複数の算出処理のうち所定の算出処理を用いて前記像情報から前記位置検出マークごとの位置情報を算出する位置情報算出工程と、前記各位置情報に対応する位置検出マークの基準位置に対する誤差の情報を算出する誤差情報算出工程と、前記誤差の情報から所定の誤差成分を除去した残留誤差の情報を算出する残留誤差情報算出工程と、前記各位置情報ごとに、前記残留誤差が最小となる当該位置情報の算出処理を前記複数の算出処理から求め、当該位置情報とそれに対応する算出処理との組み合わせを記憶する記憶工程と、前記位置情報とそれに対応する算出処理との組み合わせに基づいて算出された誤差の情報を用いて前記物体の位置を検出する位置検出工程とを備える。
【００１７】
本発明の位置検出装置は、物体の複数の位置検出マークからの光を受光して当該物体の位置を検出する位置検出装置において、前記受光した光から前記位置検出マークごとの像情報を得る像情報取得部と、複数の算出処理を持ち、当該複数の算出処理のうち所定の算出処理を用いて前記像情報から前記位置検出マークごとの位置情報を算出する位置情報算出部と、前記各位置情報に対応する位置検出マークの基準位置に対する誤差の情報を算出する誤差情報算出部と、前記誤差の情報から所定の誤差成分を除去した残留誤差の情報を算出する残留誤差情報算出部と、前記各位置情報ごとに、前記残留誤差が最小となる当該位置情報の算出処理を前記複数の算出処理から求め、当該位置情報とそれに対応する算出処理との組み合わせを記憶する記憶部と、前記位置情報とそれに対応する算出処理との組み合わせに基づいて算出された誤差の情報を用いて前記物体の位置を検出する位置検出部とを具備する。
【００１８】
本発明の露光装置は、上記位置検出装置により検出した位置情報に基づいて前記物体を位置決めするために駆動されるステージ装置を備え、当該ステージ装置は前記物体としての基板または原版あるいはその双方を位置決めする。
【００１９】
本発明の半導体デバイス製造方法は、上記露光装置を含む各種プロセス用の製造装置群を半導体製造工場に設置する工程と、該製造装置群を用いて複数のプロセスによって半導体デバイスを製造する工程とを有する。
【００２０】
本発明の半導体製造工場は、上記露光装置を含む各種プロセス用の製造装置群と、該製造装置群を接続するローカルエリアネットワークと、該ローカルエリアネットワークから工場外の外部ネットワークにアクセス可能にするゲートウェイを有し、前記製造装置群の少なくとも１台に関する情報をデータ通信することを可能にする。
【００２１】
本発明の露光装置の保守方法は、半導体製造工場に設置された上記露光装置の保守方法であって、前記露光装置のベンダ若しくはユーザが、半導体製造工場の外部ネットワークに接続された保守データベースを提供する工程と、前記半導体製造工場内から前記外部ネットワークを介して前記保守データベースへのアクセスを許可する工程と、前記保守データベースに蓄積される保守情報を前記外部ネットワークを介して半導体製造工場側に送信する工程とを有する。
【００２２】
また、好ましくは、上記露光装置において、ディスプレイと、ネットワークインタフェースと、ネットワーク用ソフトウェアを実行するコンピュータとをさらに有し、露光装置の保守情報をコンピュータネットワークを介してデータ通信することを可能にする。
【００２３】
【発明の実施の形態】
以下、添付図面を参照しながら本発明の好適な実施の形態について説明する。［露光装置の概略構成］
図１は、本実施形態の半導体露光装置の概略図である。
【００２４】
図１において、半導体露光装置１（以下、露光装置１とも呼ぶ）は、所定の回路パターンが形成されたレチクル１０を縮小投影する縮小投影光学系１１と前工程で下地パターンおよびアライメントマークの形成されたウエハ１２を保持するウエハチャック１３とウエハ１２を所定の位置（アライメント位置）に位置決めするウエハステージ１４と、ウエハ１２上に形成されたアライメントマーク位置を検出するアライメント検出光学系（アライメントスコープ）１５を備える。
【００２５】
次に、アライメント検出光学系１５によるアライメントマークの検出原理について説明する。
【００２６】
図２は、アライメント検出光学系１５の主要な構成要素を示す概略図である。
【００２７】
図２において、光源１８からの照明光は、ビームスプリッタ１９で反射されてレンズ２０に入射し、レンズ２０からウエハ１２上のアライメントマーク３０を照明する。アライメントマーク３０からの回折光は、レンズ２０、ビームスプリッタ１９、レンズ２１を通って、ビームスプリッタ２２で分割され、それぞれイメージセンサ２３，２４で受光される。ここで、アライメントマーク３０は、レンズ２０，２１により１００倍程度の結像倍率で拡大され、イメージセンサ２３，２４に結像される。イメージセンサ２３，２４はそれぞれ、アライメントマーク３０のＸ方向の位置ずれ検出、アライメントマーク３０のＹ方向の位置ずれ検出に用いられ、光軸に対して略９０度回転させた状態で配置されている。なお、図示していないが、アライメントマークの検出方向に対して垂直方向にのみパワーを持つシリンドリカルレンズが設けられ、当該レンズにより当該マーク検出方向に対して垂直方向に集光されることによって光学的に積分されて平均化される。
【００２８】
イメージセンサ２３，２４は、アライメントマーク３０の光学像を光電変換した撮像信号を信号処理部１６に送出し、信号処理部１６ではこの撮像信号に基づいてアライメントマーク３０の位置情報を算出し、中央演算処理装置１７では信号処理部１６で算出された位置情報からウエハの位置ずれを補正するようにウエハステージ１４を位置決めする。
［第１実施形態］
次に、第１実施形態のアライメントマーク位置の検出方法を説明する。
【００２９】
尚、上記Ｘ方向とＹ方向のアライメントマーク位置の検出原理は同じなのでＸ方向のマーク位置検出方法についてのみ説明する。
【００３０】
アライメントマーク３０としては、図３または図４に示す形状のマークが用いられ、図３ではマーク検出方向であるＸ方向に４μｍ、当該マーク検出方向に略直交するＹ方向に２０μｍの矩形のマークがＸ方向に等間隔で２０μｍピッチで４本並べて配列されている。マーク部の断面はエッチングにより凹状をなしている。なお、実際には、マーク部上にレジストが塗布されているが図示を省略している。一方、図４に示すマークは、図３のマーク外形に対して０．６μｍの線幅の輪郭部分を形成した形状となっている。
【００３１】
図３と図４のいずれのアライメントマークを用いても、アライメント検出光学系１５のレンズのＮＡに入らない大きな角度となり、マーク部におけるエッジ部での散乱光の発生やエッジ部での散乱光での干渉によって、イメージセンサ２３で撮像された像情報は図５に示す如くなる。また、図３のアライメントマークではそのエッジ部が暗く、図４のアライメントマークでは凹部が暗く又は明るくなる。これは、明視野画像で多く観察される像の特徴である。
【００３２】
さて、このように撮像されたアライメントマークの像情報は信号処理部１６により以下のように処理される。
【００３３】
本実施形態のイメージセンサ２３，２４は、アライメントマーク３０の１次元の線画像情報又は２次元画像情報を取り込むＣＣＤカメラである。
【００３４】
本実施形態におけるアライメントマークの位置情報の算出には、テンプレートマッチング法が用いられる。テンプレートマッチング法は、図６のＳで示す像情報を表す撮像信号と予め装置側で持っているテンプレート（図６のＴ）との相関演算を行うもので、最も相関の高い位置情報をアライメントマークの中心位置として検出する。図６のＥで示す相関値の関数においてピーク画素から左右に数画素の領域の重心画素位置を求めることにより、１／１０から１／５０画素の分解能を達成できる。
【００３５】
テンプレートマッチングに用いられる算術式は下記式１で表される。
【００３６】
【数２】
2004111860.tif 000003
【００３７】
ここで、Ｓはイメージセンサで検知した撮像信号、Ｔはテンプレート、Ｅは相関結果である。
【００３８】
信号Ｓ、テンプレートＴ、相関値Ｅの関係を図示すると図６に示す如くなる。図６では４本のアライメントマークのうち、１本のアライメントマークの像情報に関する処理を示している。以下同様に他の３本のアライメントマークの像情報についても、テンプレートマッチング法によりイメージセンサにより検知された各像情報から各位置情報が検出される。
【００３９】
先ず、テンプレートマッチング法により、アライメントマークの像情報の位置情報Ｘ１（ｎ），Ｘ２（ｎ），Ｘ３（ｎ），Ｘ４（ｎ）を求める（単位は画素）。ここでｎはテンプレート番号である。その後、各アライメントマークの平均位置を下記式２から求める。
Ｘａ（ｎ）＝［Ｘ１（ｎ）＋Ｘ２（ｎ）＋Ｘ３（ｎ）＋Ｘ４（ｎ）］／４・・・（２）
各イメージセンサの撮像信号からアライメントマーク３０の位置ずれＸｗ（ｎ）は、アライメントスコープ１５の結像倍率をＭ、イメージセンサ２３のアライメントマークの検出方向の画素ピッチをＰｘとすると、
Ｘｗ（ｎ）＝Ｘａ（ｎ）／（Ｐｘ・Ｍ）・・・（３）
として求められる。
【００４０】
図７は、半導体製造プロセスのある工程で取得した実際のアライメントマークの撮像信号波形を示し、ウエハ上のショット位置により、１本のアライメントマーク（バーマーク）の両端部に対応して２つの極小値を持つ信号（ダブルピーク信号）とアライメントマークの中心付近のみ極小値を持つ信号（シングルピーク信号）が混在している。
【００４１】
この場合、図８に示すように、ダブルピーク信号に対してはダブルピークに適したテンプレートＡを用い、一方、シングルピーク信号に対してはシングルピークに適したテンプレートＢを用いることでマーク位置を高精度に検出できる。
【００４２】
本実施形態では、上記のように算出されたアライメントマークの像情報に対して２種類のテンプレートＡ（テンプレート番号１）とテンプレートＢ（テンプレート番号２）を用いて、上記式１、２、３から夫々のテンプレート（テンプレート番号ｎ）で算出したアライメントマークの位置情報から位置ずれＸｗ（ｎ）を求め、信号処理部１６内のメモリに一時的に記録させる。
【００４３】
続いて、上記のように算出されたアライメントマークの位置ずれからウエハをアライメントする方法について説明する。
【００４４】
本実施形態ではグローバルアライメント（ＡＧＡ）を適用している。グローバルアライメントでは、ウエハ上の全チップ（ショット）の内、数ショットを選択して（選択したショットをサンプルショットと呼ぶ）、そのショット内にあるアライメントマークの位置情報が検出される。
【００４５】
図９は、上記露光装置１のウエハステージのｘｙ座標系に対して、ウエハ上のショット配列がずれている様子を示し、ウエハの位置ずれとしては、ｘ方向のシフトＳｘと、ｙ方向のシフトＳｙと、ｘ軸に対する傾きθｘと、ｙ軸に対する傾きθｙと、ｘ方向の倍率Ｂｘと、ｙ方向の倍率Ｂｙとの６つのパラメータで記述できる。なお、各倍率Ｂｘ、Ｂｙは露光装置のウエハステージの送り方向を基準にウエハの伸縮を表し、このウエハの伸縮は半導体プロセスの成膜やエッチングにより引き起こされる。
【００４６】
ここで、上記のように検出されたＡＧＡの各サンプルショットの位置情報をＡｉ（ｉは検出ショットＮｏ．）、すなわち、
【００４７】
【数３】
2004111860.tif 000004
とし、サンプルショットのアライメントマーク設計位置座標をＤｉとして、
【００４８】
【数４】
2004111860.tif 000005
と記述する。
【００４９】
ＡＧＡでは、先に示したウエハの位置ずれを表す６つのパラメータ（Ｓｘ、Ｓｙ、θｘ、θｙ、Ｂｘ、Ｂｙ）を用いて、以下の１次の座標変換Ｄ’ｉを行う。
【００５０】
【数５】
2004111860.tif 000006
【００５１】
上記式６では、簡単のためθｘ、θｙ、Ｂｘ、Ｂｙは微小量であるためｃｏｓθ＝１、ｓｉｎθ＝θ、θｘ＊Ｂｘ＝θｘ、θｙ＊Ｂｙ＝θｙ等の近似式が用いられる。
【００５２】
図１０には、上記式８の１次の座標変換を行う様子を示している。Ｗで示す位置にウエハ上のアライメントマークがあり、設計上の位置であるＭの位置からＡｉだけずれており、座標変換Ｄ’ｉを行うとウエハ上のアライメントマークの位置ずれ（残留誤差）Ｒｉは下記式７で算出される。
【００５３】
Ｒｉ＝（Ｄｉ＋Ａｉ）−Ｄ’ｉ・・・（７）
ＡＧＡでは各サンプルショットでの残留誤差Ｒｉが最小になるように最小２乗法を適用して、残留誤差Ｒｉの平均２乗和が最小となるＡＧＡパラメータ（Ｓｘ、Ｓｙ、θｘ、θｙ、Ｂｘ、Ｂｙ）を算出する。
【００５４】
【数６】
2004111860.tif 000007
【００５５】
上記式８，９に、各サンプルショットでのアライメントマークの位置情報（ｘｉ，ｙｉ）、及びアライメントマーク設計位置（Ｘｉ，Ｙｉ）を代入して、ＡＧＡパラメータ（Ｓｘ、Ｓｙ、θｘ、θｙ、Ｂｘ、Ｂｙ）を求め、更に、上記式７から残留誤差Ｒｉを求める。これらの演算を全てのサンプルショット＊信号処理（テンプレートＡとＢ）について行う。すなわち、図１１に示すように２５６通りの条件でＡＧＡパラメータと残留誤差が算出され、これら算出結果が組合せＮｏ．別にメモリ上に格納される。
【００５６】
続いて、図１１から残留誤差が最小となる組合せＮｏ．を選択し、そのＡＧＡパラメータに基づいて各ショットの位置決めを行い、レチクル上のパターンをウエハ上に露光転写する。
【００５７】
残留誤差が最小となる組合せを用いる理由は、残留誤差は半導体プロセスにより引き起こされた非線型な歪みとアライメントマークの検出誤差の和になり、同一ウエハでは非線型な歪み成分は略一定なので、残留誤差が小さくなるほどアライメントマークの検出精度が向上するからである。なお、残留残差量が小さい方から１０通り程度の組合せＮｏ．の算出結果を求めて、その平均値をＡＧＡの位置補正に使用してもよい。
【００５８】
最後に、図１２のフローチャートを参照して、本実施形態のアライメントマークの位置検出方法について説明する。
【００５９】
図１２において、ステップＳ５０でウエハ上のどのショットをＡＧＡにおけるアライメントマークの検出ショットにするかを設定する。
【００６０】
続いて、ステップＳ５１で信号処理を設定する（本実施形態では、テンプレートＡとテンプレートＢを用いたテンプレートマッチング法を適用）。
【００６１】
ステップＳ５２でウエハステージ上に搭載されたウエハ上のサンプルショット内のアライメントマークをアライメント検出光学系の下に位置決めする。
【００６２】
ステップＳ５３ではアライメント検出光学系からアライメントマークの像情報を取得・算出する。
【００６３】
ステップＳ５４ではステップＳ５３で取得したアライメントマークの像情報からステップＳ５１で設定された信号処理により位置ずれ量を算出する。
【００６４】
ステップＳ５５では、ステップＳ５１で設定された全ての信号処理について位置ずれ量を算出したかを判断し、未算出の信号処理があるならば（ステップＳ５５でＮＯ）、ステップＳ５４にリターンし、残った信号処理により位置ずれ量を算出する。
【００６５】
ステップＳ５５で全ての信号処理を終了したならば（ステップＳ５５でＹＥＳ）、ステップＳ５６において、ステップＳ５０で設定されたサンプルショットのうち、検出すべきサンプルショットがまだ有るか判断し、まだ有るならば（ステップＳ５６でＮＯ）、ステップＳ５２にリターンし、ステップＳ５０で設定された全てのサンプルショットについて上記ステップＳ５２〜Ｓ５５の処理を行う。
【００６６】
ステップＳ５６で全てのサンプルショットを終了したならば（ステップＳ５６でＹＥＳ）、ステップＳ５７において、残留誤差Ｒｉが最小となるショット（位置情報）と信号処理との組合せを求めて、ステップＳ５８でその最小となる組合せの条件で算出されたＡＧＡパラメータに基づいてウエハステージによりウエハを投影光学系に位置決めし、ステップＳ５９でレチクル上のパターンがウエハ上に露光転写される。
［第２実施形態］
次に、第２実施形態のアライメントマーク位置の検出方法について説明する。
【００６７】
アライメントマーク形状およびアライメントマーク検出光学系は第１実施形態と同様のものが用いられ、アライメントマークの位置情報を算出する処理が第１実施形態と異なる。図１３は、図５のアライメントマークの像情報の一部を拡大して示し、検出信号波形の左半分を横軸の中心から折り返した対称性を持つテンプレートを示している。
【００６８】
【数７】
2004111860.tif 000008
【００６９】
上記式１０は検出信号波形の左半分を上記対称性を持つテンプレートと見なしたときの相関値である。最も相関の高い位置情報をアライメントマークの中心位置として検出する。相関値の関数において、ピーク画素から左右に数画素の領域の重心画素位置情報を求めることにより、１／１０から１／５０画素の分解能を達成できる。なお、上記式１０および図１３において、係数ａ，ｂの代わりに、処理ウインドウの位置Ｃと処理ウインドウの幅Ｗを変数に用いることもできる。すなわち、ａ＝Ｃ−Ｗ／２、ｂ＝Ｃ−Ｗ／２の関係式が成り立つ。
【００７０】
以下同様に他の３本のアライメントマークの像情報についても、各マークの位置情報が検出される。その後、上記式２から各マークの平均位置Ｘａ（ｎ）を算出し、上記式３からウエハ上のアライメントマークの位置ずれＸｗ（ｎ）を算出する。本実施形態では、上記のように取得されたアライメントマークの像情報に対して複数のウインドウ幅Ｗでアライメントマークの位置ずれＸｗ（ｎ）を求め、信号処理部１６内のメモリ上に一時的に格納する。全てのサンプルショットで検出信号を取得し、上記式８，９に、各サンプルショットでの位置情報（ｘｉ，ｙｉ）及びアライメントマーク設計位置（Ｘｉ，Ｙｉ）を代入して、ＡＧＡパラメータ（Ｓｘ、Ｓｙ、θｘ、θｙ、Ｂｘ、Ｂｙ）を求め、更に上記式７から残留誤差Ｒｉを求める。これらを全てのサンプルショット＊処理ウインドウ幅Ｗについて行い、組合せＮｏ．別にその結果がメモリ上に格納される。
【００７１】
続いて、残留誤差が最小となる組合せＮｏ．を選択し、そのＡＧＡパラメータに基づいて各ショットの位置決めを行い、レチクル上のパターンをウエハ上に露光転写するる。
【００７２】
なお、第１実施形態と異なる信号処理例として処理ウインドウ幅Ｗを変数にした信号処理について示したが、ウインドウの位置Ｃを変数にして、複数のウインドウ位置を用いて位置ずれを検出しても良く、更には、（Ｃ，Ｗ）の２つの変数を同時に変数として用いてもよい。
【００７３】
このように、残留誤差Ｒｉが最小となるようなショットと信号処理の組合せを求めることにより、ウエハ上のショットに応じてそれぞれ最適な位置決めが自動的に選択され、ウエハプロセスおけるアライメントマークの検出誤差の低減を図ることができる。
［第３実施形態］
続いて、第３実施形態のアライメントマーク位置の検出方法について説明する。
【００７４】
アライメントマーク形状およびアライメント検出光学系は第１実施形態と同様のものが用いられ、アライメントマークの位置情報を算出する処理が第１、第２実施形態と異なる。
【００７５】
図１４は第３実施形態のアライメントマークの像情報の信号処理を説明する図であり、検出信号波形における波形の傾きが最大となる位置からアライメントマークの位置情報を算出する。
【００７６】
先ず、検出信号を検出方向に微分する。ここでは、各画素±２画素分の計５画素分の領域で波形の傾きを求める。この微分された信号では、プラスとマイナス側にそれぞれ２つの計４つの極値が発生する。この極値の位置（Ｐ１、Ｐ２、Ｐ３、Ｐ４）を算出する場合、それぞれの極値を示す画素から数画素分の微分信号を用い、関数近似を行うことにより、１／１０から１／５０画素の分解能で極値の位置情報を検出できる。この微分信号で求めた極値Ｐ１は、左側の信号の外側の最大スロープ位置Ｌｏｕｔに対応し、Ｐ２は左側の信号の内側の最大スロープ位置Ｌｉｎに対応し、Ｐ３は右側の信号の内側の最大スロープ位置Ｒｉｎに対応し、Ｐ４は右側の信号の外側の最大スロープ位置Ｒｏｕｔに対応している。ここで、外側の信号スロープから求めたＬｏｕｔ位置とＲｏｕｔ位置の中心位置Ｍｏｕｔ＝（Ｌｏｕｔ＋Ｒｏｕｔ）／２を算出することにより、外側の信号スロープを用いたアライメントマークの位置情報を算出することができる。
【００７７】
同様に、内側の信号から求めたＬｉｎ位置とＲｉｎ位置の中心位置Ｍｉｎ＝（Ｌｉｎ＋Ｒｉｎ）／２を算出することにより、内側の信号スロープを用いたアライメントマークの位置情報を算出することができる。このように、１つのアライメントマークの検出信号から２つの異なる信号処理によって、アライメントマークの像情報から位置情報Ｍｏｕｔ，Ｍｉｎの２種類の算出結果を得ることができる。アライメントマークは図３または図４のように、４本のマークで構成されているため、それぞれのマークの像情報を同様に信号処理して、上記式２より、４本のマークの平均位置をＸａ（ｎ）求める。ここでｎは１または２で、それぞれＭｏｕｔから求めた結果、Ｍｉｎから求めた結果に対応する。続いて、上記式３からウエハ上のアライメントマーク３０の位置ずれＸｗ（ｎ）を求める。全てのサンプルショットで検出信号を取得し、上記式８，９に、各サンプルショットでの位置情報（ｘｉ，ｙｉ）、及びアライメントマーク設計位置（Ｘｉ，Ｙｉ）を代入して、ＡＧＡパラメータ（Ｓｘ、Ｓｙ、θｘ、θｙ、Ｂｘ、Ｂｙ）を求め、更に上記式７より、残留誤差Ｒｉを求める。この計算を全てのサンプルショットについて行い、組合せＮｏ．別にその結果がメモリ上に格納される。
【００７８】
続いて、残留誤差が最小となる組合せＮｏ．を選択し、そのＡＧＡパラメータに基づいて各ショットの位置決めを行い、レチクル上のパターンをウエハ上に露光転写する。
【００７９】
なお、４本のマークの信号処理において、本実施形態では外側の信号スロープから求めた各マークの平均位置と内側の信号スロープから求めた各マークの平均位置を用いたが、この平均位置を求める際に、４本の各マーク毎に外側の信号スロープ、内側の信号スロープの組合せの平均位置Ｘａ（ｎ）を用いても良い。この場合の信号処理数ｎは１６通りになる。
【００８０】
このように、ＡＧＡの残留誤差Ｒｉが最小となるようなショットと信号処理の組合せを求めることにより、ウエハ上のショットに応じてそれぞれ最適な位置決めが自動的に選択され、ウエハプロセスによるアライメントマークの検出誤差の低減が図られる。
【００８１】
以上説明したように、本実施形態では、ウエハ上の複数のサンプルショット内のアライメントマークの位置情報を算出する際に、複数の信号処理を用いて位置情報を算出し、ＡＧＡの残留誤差Ｒｉが最小となるようなサンプルショットと信号処理の組合せを求める。
【００８２】
なお、アライメントマークの位置情報を算出するための信号処理は、本例で述べた信号処理に限定されることなく、スライス法など公知の他の信号処理を用いても同様の効果を奏することは明らかである。
［半導体生産システム］
次に、上記説明した位置検出装置を有する露光装置を利用した半導体等のデバイス（ＩＣやＬＳＩ等の半導体チップ、液晶パネル、ＣＣＤ、薄膜磁気ヘッド、マイクロマシン等）の生産システムの例を説明する。これは、半導体製造工場に設置された製造装置のトラブル対応や定期メンテナンス、若しくはソフトウェア提供等の保守サービスを、製造工場外のコンピュータネットワーク等を利用して行うものである。
【００８３】
図１５は、全体システムをある角度から切り出して表現したものである。図中、１０１は半導体デバイスの製造装置を提供するベンダ（装置供給メーカ）の事業所である。製造装置の実例として、半導体製造工場で使用する各種プロセス用の半導体製造装置、例えば、前工程用機器（露光装置、レジスト処理装置、エッチング装置等のリソグラフィ装置、熱処理装置、成膜装置、平坦化装置等）や後工程用機器（組立て装置、検査装置等）を想定している。事業所１０１内には、製造装置の保守データベースを提供するホスト管理システム１０８、複数の操作端末コンピュータ１１０、これらを結んでイントラネット等を構築するローカルエリアネットワーク（ＬＡＮ）１０９を備える。ホスト管理システム１０８は、ＬＡＮ１０９を事業所の外部ネットワークであるインターネット１０５に接続するためのゲートウェイと、外部からのアクセスを制限するセキュリティ機能を備える。
【００８４】
一方、１０２〜１０４は、製造装置のユーザとしての半導体製造メーカの製造工場である。製造工場１０２〜１０４は、互いに異なるメーカに属する工場であってもよいし、同一のメーカに属する工場（例えば、前工程用の工場、後工程用の工場等）であってもよい。各工場１０２〜１０４内には、夫々、複数の製造装置１０６と、それらを結んでイントラネット等を構築するローカルエリアネットワーク（ＬＡＮ）１１１と、各製造装置１０６の稼動状況を監視する監視装置としてホスト管理システム１０７とが設けられている。各工場１０２〜１０４に設けられたホスト管理システム１０７は、各工場内のＬＡＮ１１１を工場の外部ネットワークであるインターネット１０５に接続するためのゲートウェイを備える。これにより各工場のＬＡＮ１１１からインターネット１０５を介してベンダ１０１側のホスト管理システム１０８にアクセスが可能となり、ホスト管理システム１０８のセキュリティ機能によって限られたユーザだけがアクセスが許可となっている。具体的には、インターネット１０５を介して、各製造装置１０６の稼動状況を示すステータス情報（例えば、トラブルが発生した製造装置の症状）を工場側からベンダ側に通知する他、その通知に対応する応答情報（例えば、トラブルに対する対処方法を指示する情報、対処用のソフトウェアやデータ）や、最新のソフトウェア、ヘルプ情報等の保守情報をベンダ側から受け取ることができる。各工場１０２〜１０４とベンダ１０１との間のデータ通信及び各工場内のＬＡＮ１１１でのデータ通信には、インターネットで一般的に使用されている通信プロトコル（ＴＣＰ／ＩＰ）が使用される。なお、工場外の外部ネットワークとしてインターネットを利用する代わりに、第三者からのアクセスができずにセキュリティの高い専用線ネットワーク（ＩＳＤＮ等）を利用することもできる。また、ホスト管理システムはベンダが提供するものに限らずユーザがデータベースを構築して外部ネットワーク上に置き、ユーザの複数の工場から該データベースへのアクセスを許可するようにしてもよい。
【００８５】
さて、図１６は、本実施形態の全体システムを図１５とは別の角度から切り出して表現した概念図である。先の例では、それぞれが製造装置を備えた複数のユーザ工場と、該製造装置のベンダの管理システムとを外部ネットワークで接続して、該外部ネットワークを介して各工場の生産管理や少なくとも１台の製造装置の情報をデータ通信するものであった。これに対し本例は、複数のベンダの製造装置を備えた工場と、該複数の製造装置のそれぞれのベンダの管理システムとを工場外の外部ネットワークで接続して、各製造装置の保守情報をデータ通信するものである。図中、２０１は製造装置ユーザ（半導体デバイス製造メーカ）の製造工場であり、工場の製造ラインには各種プロセスを行う製造装置、ここでは例として露光装置２０２、レジスト処理装置２０３、成膜処理装置２０４が導入されている。なお、図１６では、製造工場２０１は１つだけ描いているが、実際は複数の工場が同様にネットワーク化されている。工場内の各装置はＬＡＮ２０６で接続されてイントラネット等を構成し、ホスト管理システム２０５で製造ラインの稼動管理がされている。一方、露光装置メーカ２１０、レジスト処理装置メーカ２２０、成膜装置メーカ２３０等、ベンダ（装置供給メーカ）の各事業所には、それぞれ供給した機器の遠隔保守を行うためのホスト管理システム２１１，２２１，２３１を備え、これらは上述したように保守データベースと外部ネットワークのゲートウェイを備える。ユーザの製造工場内の各装置を管理するホスト管理システム２０５と、各装置のベンダの管理システム２１１，２２１，２３１とは、外部ネットワーク２００であるインターネット若しくは専用線ネットワークによって接続されている。このシステムにおいて、製造ラインの一連の製造機器の中のどれかにトラブルが起きると、製造ラインの稼動が休止してしまうが、トラブルが起きた機器のベンダからインターネット２００を介した遠隔保守を受けることで迅速な対応が可能で、製造ラインの休止を最小限に抑えることができる。
【００８６】
半導体製造工場に設置された各製造装置はそれぞれ、ディスプレイと、ネットワークインタフェースと、記憶装置にストアされたネットワークアクセス用ソフトウェアならびに装置動作用のソフトウェアを実行するコンピュータを備える。記憶装置としては内蔵メモリやハードディスク、若しくはネットワークファイルサーバ等である。上記ネットワークアクセス用ソフトウェアは、専用又は汎用のウェブブラウザを含み、例えば図１７に一例を示す様な画面のユーザインタフェースをディスプレイ上に提供する。各工場で製造装置を管理するオペレータは、画面を参照しながら、製造装置の機種４０１、シリアルナンバー４０２、トラブルの件名４０３、発生日４０４、緊急度４０５、症状４０６、対処法４０７、経過４０８等の情報を画面上の入力項目に入力する。入力された情報はインターネットを介して保守データベースに送信され、その結果の適切な保守情報が保守データベースから返信されディスプレイ上に提示される。また、ウェブブラウザが提供するユーザインタフェースは、さらに図示の毎くハイパーリンク機能４１０，４１１，４１２を実現し、オペレータは各項目の更に詳細な情報にアクセスしたり、ベンダが提供するソフトウェアライブラリから製造装置に使用する最新バージョンのソフトウェアを引出したり、工場のオペレータの参考に供する操作ガイド（ヘルプ情報）を引出したりすることができる。ここで、保守データベースが提供する保守情報には、上記説明した本発明に関する情報も含まれ、また前記ソフトウェアライブラリは本発明を実現するための最新のソフトウェアも提供する。
【００８７】
次に、上記説明した生産システムを利用した半導体デバイスの製造プロセスを説明する。図１８は、半導体デバイスの全体的な製造プロセスのフローを示す。ステップＳ１（回路設計）では半導体デバイスの回路設計を行う。ステップＳ２（マスク製作）では設計した回路パターンを形成したマスクを製作する。一方、ステップＳ３（ウエハ製造）ではシリコン等の材料を用いてウエハを製造する。ステップＳ４（ウエハプロセス）は前工程と呼ばれ、上記用意したマスクとウエハを用いて、リソグラフィ技術によってウエハ上に実際の回路を形成する。次のステップＳ５（組み立て）は後工程と呼ばれ、ステップＳ４によって作製されたウエハを用いて半導体チップ化する工程であり、アッセンブリ工程（ダイシング、ボンディング）、パッケージング工程（チップ封入）等の組立て工程を含む。ステップＳ６（検査）ではステップＳ５で作製された半導体デバイスの動作確認テスト、耐久性テスト等の検査を行う。こうした工程を経て半導体デバイスが完成し、これを出荷（ステップＳ７）する。前工程と後工程はそれぞれ専用の別の工場で行い、これらの工場毎に上記説明した遠隔保守システムによって保守がなされる。また、前工程工場と後工程工場との間でも、インターネットまたは専用線ネットワークを介して生産管理や装置保守のための情報がデータ通信される。
【００８８】
図１９は、上記ウエハプロセスの詳細なフローを示す。ステップＳ１１（酸化）ではウエハの表面を酸化させる。ステップＳ１２（ＣＶＤ）ではウエハ表面に絶縁膜を成膜する。ステップＳ１３（電極形成）ではウエハ上に電極を蒸着によって形成する。ステップＳ１４（イオン打込み）ではウエハにイオンを打ち込む。ステップＳ１５（レジスト処理）ではウエハに感光剤を塗布する。ステップＳ１６（露光）では上記説明した露光装置によってマスクの回路パターンをウエハに焼付露光する。ステップＳ１７（現像）では露光したウエハを現像する。ステップＳ１８（エッチング）では現像したレジスト像以外の部分を削り取る。ステップＳ１９（レジスト剥離）ではエッチングが済んで不要となったレジストを取り除く。これらのステップを繰り返し行うことによって、ウエハ上に多重に回路パターンを形成する。各工程で使用する製造機器は上記説明した遠隔保守システムによって保守がなされているので、トラブルを未然に防ぐと共に、もしトラブルが発生しても迅速な復旧が可能で、従来に比べて半導体デバイスの生産性を向上させることができる。
【００８９】
上記実施形態によれば、プロセス要因でウエハ平面度の欠陥があった場合には、強制露光が可能であることから、エッチング時に、周辺に正常に露光されたショットに及ぼす影響を最小限にすることができるため、ウエハの歩留まりが向上する。
【００９０】
チャック要因でウエハ平面度の欠陥があった場合には、フォーカス制御エラーが発生した場所をウエハ枚葉間で記憶する機能を具備しているので、上記効果に加えてウエハチャックの汚染を速やかに発見することができる。
【００９１】
また、床からの外乱等の影響でフォーカス制御エラーが発生した場合は、スキャン露光の前であれば露光を中止しリトライする機能を具備しているので、露光不良ショットの率を低減することができ、歩留まりが向上する。
【００９２】
さらに、上記リトライや強制露光の判断を自動で行う機能を具備したことにより、オペレータの判断待ちで装置が停止している時間を最小限にすることができ、装置の稼働率が向上する。
【００９３】
【他の実施形態】
本発明は、前述した実施形態の機能を実現するソフトウェアのプログラム（本発明の位置検出方法）を、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００９４】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００９５】
その場合、プログラムの機能を有していれば、オブジェクトコード、インタプリタにより実行されるプログラム、ＯＳに供給するスクリプトデータ等、プログラムの形態を問わない。
【００９６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００９７】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００９８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１００】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【０１０１】
【発明の効果】
以上説明したように、本発明によれば、グローバルアライメントを実行する上で、ショット間のアライメントマークの構造にばらつきがある場合においても、そのマーク構造に応じて最適な信号処理方法が自動的に選択されるため、半導体プロセスによるアライメントマークの構造変化などに影響を受けにくなり、アライメント精度を向上させることができ、半導体素子製造工程において歩止まりを向上させることができる。また、アライメントマークの形状を安定化させるために必要だった半導体プロセスの条件だしの時間を短縮化できるため、半導体素子製造の生産性も向上させることができる。
【図面の簡単な説明】
【図１】本実施形態の半導体露光装置の概略図。
【図２】本実施形態のアライメント検出光学系の概略図。
【図３】第１実施形態のアライメントマーク位置の検出方法を示す図。
【図４】第２実施形態のアライメントマーク位置の検出方法を示す図
【図５】アライメントマークの検出信号を例示する図。
【図６】第１実施形態のアライメントマーク位置の検出に用いられるテンプレートを示す図。
【図７】ショット間でアライメントマークの検出信号が変化する様子を例示する図。
【図８】第１実施形態のアライメントマーク位置の検出における信号処理を示す図。
【図９】グローバルアライメントを説明する図。
【図１０】線形座標変換と残留誤差を示す図。
【図１１】第１実施形態のＡＧＡパラメータと残留誤差の算出条件を示す図。
【図１２】第１実施形態のアライメントマーク位置の検出手順を示すフローチャート。
【図１３】第２実施形態のアライメントマーク位置の検出方法における信号処理を示す図。
【図１４】第３実施形態のアライメントマーク位置の検出方法における信号処理を示す図。
【図１５】本発明の一実施形態に係る露光装置を含む半導体デバイスの生産システムをある角度から見た概念図。
【図１６】本発明の一実施形態に係る露光装置を含む半導体デバイスの生産システムを別の角度から見た概念図。
【図１７】本発明の一実施形態に係る露光装置を含む半導体デバイスの生産システムにおけるユーザインタフェースの具体例を示す図。
【図１８】本発明の一実施形態に係る露光装置によるデバイスの製造プロセスの流れを説明するフローチャート。
【図１９】本発明の一実施形態に係る露光装置によるウエハプロセスを説明する図。
【符号の説明】
１　半導体露光装置
１０　レチクル
１１　縮小投影光学系
１２　ウエハ
１３　ウエハチャック
１４　ウエハステージ
１５　アライメント検出光学系
１６　信号処理部
１７　中央演算処理装置
１８　光源
１９，２２　ビームスプリッタ
２０，２１　レンズ
２３，２４　イメージセンサ
３０　アライメントマーク
【図１】
2004111860.tif 000010
【図２】
2004111860.tif 000011
【図３】
2004111860.tif 000012
【図４】
2004111860.tif 000013
【図５】
2004111860.tif 000014
【図６】
2004111860.tif 000015
【図７】
2004111860.tif 000016
【図８】
2004111860.tif 000017
【図９】
2004111860.tif 000018
【図１０】
2004111860.tif 000019
【図１１】
2004111860.tif 000020
【図１２】
2004111860.tif 000021
【図１３】
2004111860.tif 000022
【図１４】
2004111860.tif 000023
【図１５】
2004111860.tif 000024
【図１６】
2004111860.tif 000025
【図１７】
2004111860.tif 000026
【図１８】
2004111860.tif 000027
【図１９】
2004111860.tif 000028